(57)【要約】【課題】ユーザーが自分の使い勝手に合わせた良好な収納形態を任意に且つ容易に作り出すことができ、また、昇降棚の収納スペース部に対して被収納物を容易に出し入れすることができる昇降棚付き収納庫を提供する。【解決手段】昇降棚付き収納庫は、昇降棚部３を備えてキッチンの上部に配置される。昇降棚部の昇降棚５は、一対の側板４３の間に縦方向に設けられて昇降棚の内部を二つの収納スペース部４４に区画する仕切り板４０と、収納スペース部に設けられ、側板および仕切り板に前後方向に取付けられた受けレール４１と、前後方向にスライド自在に受けレールに係合し被収納物を支持可能な支持部材４２とを備えている。【選択図】    図３
2004298423.tif 000002
【特許請求の範囲】
【請求項１】
下方が開口したケースとこのケースに昇降可能に取付けられて収納引き出し可能な昇降棚とを有する昇降棚部を備え、キッチンの上部に配置される昇降棚付き収納庫であって、
前記昇降棚は、
一対の側板の間に縦方向に設けられて前記昇降棚の内部を複数の収納スペース部に区画する少なくとも１枚の仕切り板と、
前記収納スペース部に少なくとも一つ設けられ、前記側板および前記仕切り板の少なくとも一方に前後方向にほぼ水平に取付けられた受けレールと、
前後方向にスライド自在にこの受けレールに係合し被収納物を支持可能な支持部材とを備えたことを特徴とする昇降棚付き収納庫。
【請求項２】
請求項１に記載の昇降棚付き収納庫であって、
前記受けレールは、前記一対の側板にそれぞれ少なくとも一つ設けられるとともに、前記仕切り板の両面にそれぞれ少なくとも一つ設けられていることを特徴とする昇降棚付き収納庫。
【請求項３】
請求項１または２に記載の昇降棚付き収納庫であって、
前記支持部材は、前記被収納物の種類に応じて複数種類設けられており、前記受けレールに着脱可能であることを特徴とする昇降棚付き収納庫。
【請求項４】
請求項１，２または３に記載の昇降棚付き収納庫であって、
前記昇降棚は手動で昇降可能であることを特徴とする昇降棚付き収納庫。
【発明の詳細な説明】
【０００１】
【発明の属する技術分野】
本発明は、システムキッチン（複合厨房家具）などの上部に配置される昇降棚付き収納庫に関する。
【０００２】
【従来の技術】
台所の上方空間を有効に活用するために、システムキッチンなどの上部に吊戸棚や収納庫を配置する場合がある。この吊戸棚や収納庫は高い位置にあるので、椅子などを使って被収納物の出し入れをすることが多い。
そこで、昇降動作可能な昇降棚を吊戸棚などに設け、この昇降棚を下方に引き出し可能にした昇降棚付き収納庫が知られている。
【０００３】
たとえば、特許文献１（実開昭５７−１２０４５号公報）には、正面戸棚部と、この正面戸棚部の背部に設けられ前方が開口した収納箱（昇降棚）とからなり、且つこの収納箱を下方に引き出し自在となした吊戸棚が提案されている。
この吊戸棚は、椅子などに頼らなくても被収納物を吊戸棚の奥の方に容易に出し入れすることを目的としており、収納箱は、前方のみが開口した矩形状をなしている。
そして、収納箱の内側には、被収納物を整理するための吊金具や棚などの各種部材が設けられており、これら各種部材は、決まった位置に固定されている。
【０００４】
【特許文献１】
実開昭５７−１２０４５号公報（第１頁，第１図，第２図）
【０００５】
【発明が解決しようとする課題】
ユーザー（人）が流し台（キッチン）で調理などを行うとき収納箱に対して被収納物を出し入れする状態は、個人個人で異なっており、また調理作業の内容によっても異なることが多い。
そのため、ユーザーは、吊金具や棚などを自分の使い勝手に合わせて変更したいと思ってもなかなか難しいので、不便を感じながらも収納箱に被収納物を出し入れするというのが実情であった。前記特許文献１にも、そのための対策に関する記載はない。
また、乾いた被収納物と濡れた被収納物があると、これらを同じ昇降棚内に収納するのは湿気の点で好ましくないので、このような場合でも良好な収納形態を任意に作り出すことができれば好都合である。
【０００６】
本発明は、このような課題を解決するためになされたもので、ユーザーが自分の使い勝手に合わせた良好な収納形態を任意に且つ容易に作り出すことができ、また、昇降棚の収納スペース部に対して被収納物を容易に出し入れすることができる昇降棚付き収納庫を提供することを目的とする。
【０００７】
【課題を解決するための手段】
上述の目的を達成するため、本発明にかかる昇降棚付き収納庫は、下方が開口したケースとこのケースに昇降可能に取付けられて収納引き出し可能な昇降棚とを有する昇降棚部を備え、キッチンの上部に配置される昇降棚付き収納庫であって、前記昇降棚は、一対の側板の間に縦方向に設けられて前記昇降棚の内部を複数の収納スペース部に区画する少なくとも１枚の仕切り板と、前記収納スペース部に少なくとも一つ設けられ、前記側板および前記仕切り板の少なくとも一方に前後方向にほぼ水平に取付けられた受けレールと、前後方向にスライド自在にこの受けレールに係合し被収納物を支持可能な支持部材とを備えている。
前記受けレールは、前記一対の側板にそれぞれ少なくとも一つ設けられるとともに、前記仕切り板の両面にそれぞれ少なくとも一つ設けられているのが好ましい。
前記支持部材は、前記被収納物の種類に応じて複数種類設けられており、前記受けレールに着脱可能であるのが好ましい。
たとえば、前記昇降棚は手動で昇降可能であるが、電動で昇降するように構成してもよい。
【０００８】
【発明の実施の形態】
以下、本発明にかかる実施の形態の一例を、図１ないし図７を参照して説明する。
図１は、昇降棚付き収納庫とシステムキッチンの正面図、図２は図１のＩＩ−ＩＩ線平面図、図３は昇降棚部の概略正面図、図４，図５は、それぞれ昇降棚部を正面から見た構造図，側面から見た内部構造図、図６は、被収納物を収納した状態の昇降棚の部分正面図、図７は、被収納物を収納した状態の昇降棚部の正面図である。
なお、説明の便宜上、図１の左，右，上，下，紙面前方，紙面後方を、それぞれ昇降棚付き収納庫とシステムキッチンの左方，右方，上方，下方，前方，後方として説明する。
【０００９】
図１ないし図７に示すように、本実施形態では、台所に設置されるキッチンの一種であるシステムキッチン（複合厨房家具）２の上部に昇降棚付き収納庫（以下、収納庫と記載）１が配置された場合を例にとって説明する。なお、収納庫１は、キッチンとしての流し台の上部に配置された場合であってもよい。
【００１０】
システムキッチン２は、床面上に設置されたキャビネット１０を有している。キャビネット１０には、各種形状，構造の複数の引き出し（引き出し１１，１２，１３など）が、引き出し収納自在に設けられている。
キャビネット１０は、左方から右方に順次並設された、コンロキャビネット１４，一方の調理台キャビネット１５，シンクキャビネット１６および他方の調理台キャビネット１７と、キャビネット１４〜１７の上部を覆って取付けられたワークトップ１８とにより構成されている。
コンロキャビネット１４にはコンロ１９が組み込まれている。一方の調理台キャビネット１２の上部のワークトップ１８は調理台２０になっている。シンクキャビネット１６の上部のワークトップ１８には、シンク２１が形成されている。他方の調理台キャビネット１７には食器洗い乾燥機２２が取付けられ、上部のワークトップ１８は調理台２０になっている。
各キャビネット１４〜１７の内方の左右には、側板２３が縦方向に設けられ、側板２３もキャビネット１０の一部を構成している。隣合うキャビネット１４〜１７同士の間の側板２３は仕切り壁の機能を有しており、コンロキャビネット１４の左側の側板２３と他方の調理台キャビネット１７の右側の側板２３は、それぞれ外壁板としての機能を有している。
【００１１】
このように、コンロキャビネット１４に、コンロ１９，複数の引き出しなどが設けられて、単体としての厨房家具が構成されている。これと同様に、他のキャビネット１５，１６もそれぞれシンク２１や引き出しなどを有し、キャビネット１７も食器洗い乾燥機２２と引き出しを有しているので、システムキッチン２は、単体としての厨房家具が複合した複合厨房家具を構成している。
各キャビネット１４〜１７にそれぞれ設けられた引き出しのうち、キャビネット１４〜１７の最下段に配置された引き出し（引き出し１１など）は、蹴込み２４が形成され内部の収納用スペースを広くするように蹴込み２４の奥も含んだ構成を有する足下収納引き出しである。
【００１２】
収納庫１の横にはレンジフード２６が並設されている。レンジフード２６は、コンロ１９の上方で且つ収納庫１の左側に配置されている。レンジフード２６は、台所の壁および天井の一方または両方に、取付け具（図示せず）を介して支持されている。
なお、上方に延びた立ち上がり部（図示せず）をシステムキッチン２に設け、この立ち上がり部にレンジフード２６を設けてもよい。
【００１３】
収納庫１は、端部（ここでは、左側端部）に昇降棚部３を有してシステムキッチン２の上部に配置されている。収納庫１は、レンジフード２６と並んで右方向にほぼ水平に延びて配置された吊戸棚になっており、台所の壁および天井の一方または両方に取付け具（図示せず）を介して支持されている。
収納庫１は、矩形状の収納部本体３０と、収納部本体３０に設けられた一つまたは複数（本実施形態では、三つ）の開閉自在な扉３１とを有している。収納部本体３０内には被収納物を収納可能になっており、内部に仕切り板が設けられた場合もある。
【００１４】
昇降棚部３は、収納部本体３０の左側端部に取付けられて、一つのユニットを構成している。昇降棚部３がユニットになっているので、収納部本体３０に昇降棚部３を容易に組み込むことができる。
本実施形態の昇降棚部３は、収納庫１の左方の端部に配置されているが、収納庫１の端部以外の位置に配設された場合でもよい。たとえば、図１において、昇降棚部３を収納庫１の左側端部に設ける代わりに、左側端部には扉３１とその収納部を設け、図示する三つの扉３１のうちのいずれかの扉３１とその収納部の位置に、昇降棚部３を設けてもよい。
また、システムキッチン，昇降棚付き収納庫およびレンジフード２６が、本実施形態のものとは左右対称の構成で、レンジフード２６とコンロ１９が右側に配置されている場合には、収納庫１は、システムキッチンの上部に配置され、且つ昇降棚部３を収納庫１の右側端部に配設するのが好ましい。
【００１５】
昇降棚部３は、下方が開口したケース４と、ケース４に昇降可能に取付けられて収納引き出し可能な昇降棚５とを備えている。昇降棚５は、平面視でシンク２１の一方側（ここでは、左側）に位置する。昇降棚５内には、被収納物６を出し入れ可能に収納できる。
被収納物６の種類としては、調理中に頻繁に使用されるものたとえば、調味料６ａ，ふきん６ｂ，まな板６ｃ，キッチンペーパー６ｄ，小物類６ｅ，食品類（粉物，パック類），お茶類，その他各種のものがある。
ケース４は、矩形状に形成されて下方が開口している。ケース４の後面と収納部本体３０の後面は、レンジフード２６の後面と面一になっており、ケース４の上面と収納部本体３０の上面とレンジフード２６の上面は、ほぼ水平方向に面一になっている。
したがって、収納庫１およびレンジフード２６を、台所の壁面や天井面などに対して隙間がないように容易に設置することができる。
【００１６】
昇降棚５は、ほぼ水平方向を向く底板４７および天井板（図示せず）と、底板４７と天井板に固定されて縦方向を向く左右一対の側板４３と、背面側に設けられ、底板４７，天井板，左右の側板４３に固定された背板４８とを有し、前方側が開放された矩形状をなしている。
昇降棚５は手動で昇降可能である。すなわち、手動で把手４５を操作して、矢印Ｅに示すように昇降棚５を昇降させることにより、ケース４に対して収納引き出し可能である。なお、昇降動作用のモータなどを有する駆動部を設け、電動で自動的に昇降棚５を昇降させて収納引き出し可能にしてもよい。
【００１７】
昇降棚５は、少なくとも一枚（ここでは、一枚）の仕切り板４０と、受けレール４１と、支持部材４２とを備えている。仕切り板４０は、一対の側板４３の間に縦方向に設けられ、昇降棚５の内部を複数（ここでは、二つ）の収納スペース部４４に区画している。
【００１８】
受けレール４１は、収納スペース部４４に少なくとも一つ（ここでは、収納スペース部４４毎に三つ）設けられ、側板４３および仕切り板４０の少なくとも一方（ここでは、両方）に前後方向にほぼ水平に取付けられている。
本実施形態では、受けレール４１は、一対の側板４３にそれぞれ少なくとも一つ設けられるとともに、仕切り板４０の両面にそれぞれ少なくとも一つ設けられている。仕切り板４０を縦方向に配置したので、受けレール４１を、この仕切り板４０の任意の高さ位置に設けることができる。
支持部材４２は、前後方向にスライド自在に受けレール４１に係合し、被収納物６を支持可能である。受けレール４１にそれぞれ支持部材４２を係合させて、各支持部材４２で被収納物６をそれぞれ支持すれば、収納スペース部４４の空間全体を有効に使って被収納物６を収納することができる。
【００１９】
昇降棚５によれば、ユーザーが自分の使い勝手に合わせた良好な収納形態を任意に且つ容易に作り出すことができ、また、収納スペース部４４に対して被収納物６を容易に出し入れすることができる。
収納庫１の前方表面は、平面視でシステムキッチン２の前方表面より後方に下がった位置に配置されている。しかも、昇降棚部３は、収納部本体３０の左側端部に取付けられている。
その結果、昇降棚５は、下方に引き出されると、シンク２１の一方側（ここでは、左側）の奥（すなわち、一方の調理台キャビネット１５の調理台２０の後方）に位置する。
ユーザーがシステムキッチン２で調理などの作業を行うとき、昇降棚５を下方に引き出した状態で被収納物６を容易に出し入れできて使い勝手がよく、また、昇降棚５が下方に引き出されてもそれほど作業の邪魔にはならず、作業効率が向上する。
【００２０】
仕切り板４０は、昇降棚５の中央部に縦方向に設けられて、昇降棚５の内部を左側の収納庫スペース部４４と右側の収納スペース部４４に仕切っている。昇降棚５をケース４内に収納した状態では、左右のスペース部４４，４４は、仕切り板４０により仕切られて、互いにほぼ遮蔽された状態になる。こうして、昇降棚５の内部を仕切り板４０で仕切ったので、収納スペース部４４毎に良好な収納形態を任意に且つ容易に作り出すことができる。
なお、収納スペース部４４を密閉するために昇降棚５に天井板が設けられているが、収納スペース部４４の密閉性がそれほど要求されない場合には、天井板がない場合でもよい。
【００２１】
左右の各収納スペース部４４では、二つの受けレール４１が仕切り板４０の表面に上下に並んでほぼ平行に取付けられ、一つの受けレール４１が側板４３の内面に取付けられている。各収納スペース部４４に三つの受けレール４１を設けた場合を示したが、受けレール４１の数は三つ以外の場合であってもよい。
受けレール４１には、スライド部材４６が前後方向にスライド自在に係合しており、このスライド部材４６は支持部材４２の所定位置に固定されている。したがって、支持部材４２は、受けレール４１とスライド部材４６を介して昇降棚５に対して前後方向に自在に移動する。
【００２２】
支持部材４２は、被収納物６の種類に応じて複数種類設けられており、受けレール４１に着脱可能になっている。支持部材４２は、各種の被収納物６を支持し易いように、線材や板材などにより所定形状に形成されている。
たとえば、支持部材４２として、調味料ラック４２ａは調味料６ａを、ふきん掛けラック４２ｂはふきん６ｂを、まな板ラック４２ｃはまな板６ｃを、ペーパーホルダ４２ｄはキッチンペーパー６ｄを、小物ラック４２ｅは小物類６ｅを、それぞれ支持可能である。
【００２３】
各収納スペース部４４における収納形態の分類の一例として、調味料６ａを収納する調味料収納タイプ（図６（Ａ））、ふきん６ｂおよびまな板６ｃなど濡れた状態の被収納物を収納するウェット収納タイプ（図６（Ｂ））、および、キッチンペーパー６ｄや小物類６ｅなど乾いた状態の被収納物を収納するドライ収納タイプ（図６（Ｃ））などがある。
たとえば、図７（Ａ）に示す昇降棚５では、左側の収納スペース部４４が調味料収納タイプで、右側の収納スペース部４４がウェット収納タイプである。この場合、昇降棚５をケース４に収納しても、仕切り板４０で昇降棚５が仕切られているので、濡れたままのふきん６ｂやまな板６ｃの湿気が、調味料６ａを濡らす恐れはない。
また、図７（Ｂ）に示す昇降棚５は、左側の収納スペース部４４が調味料収納タイプで、右側の収納スペース部４４がドライ収納タイプの場合である。
【００２４】
支持部材４２の取付け位置，種類，数などを容易に変更できるので、被収納物６は、昇降棚５内の所望の位置で支持部材４２に支持される。こうして、各種の収納形態を、ユーザーは自分の使い勝手に合わせて任意に且つ容易に作り出すことができる。
したがって、昇降棚５は、被収納物６の種類などに合わせて、上述の同じ収納タイプまたは異なった収納タイプを任意に組み合わせて収納することができる。仕切り板４０で昇降棚５が仕切られているので、濡れたままの被収納物が、乾いた状態の被収納物と直接接触することはなく湿気も防げる。
支持部材４２（各種のラック４２ａ〜４２ｃ，４２ｅ，ペーパーホルダ４２ｄ）は、受けレール４１に着脱可能になっている。したがって、昇降棚５の奥の方に被収納物６を出し入れするときは、支持部材４２ごと受けレール４１から取外して、被収納物６を支持部材４２に対して収納，取り出しすることができる。
【００２５】
昇降棚５は、金属製のばね板５０により上方に付勢された状態で吊り下げられている。ばね板５０は、ケース４に取付けられたロール部５１に巻き付け可能になっている。ロック機構（図示せず）は、ロール部５１を非回転状態にするロック機能と、ロック解除して回動自在にする機能とを有している。
把手４５は、昇降棚５の下部に固定された固定ハンドル５２と、手で握って動かすことができる可動ハンドル５３とにより構成されている（図４，図５）。手で固定ハンドル５２を持った状態で可動ハンドル５３を握って下方に引っ張ると、ロック機構がロック解除してロール部５１を回動自在にする。可動ハンドル５３から手を離すと、ロック機構が動作し、ロール部５１をロックして非回転状態にする。
したがって、可動ハンドル５３を握って、ロック機構によるロックを解除している間は、昇降棚５を自在に昇降させることができる。ばね板５０は、昇降棚５を上方に引っ張る方向に付勢しているので、小さな力で昇降棚５を容易に上昇させることができる。
【００２６】
昇降棚５が所望の高さ位置に移動した状態で、可動ハンドル５３から手を離せば、ロック機構によりロール部５１がロックされて非回転状態になるので、昇降棚５はその高さ位置で動くことなく位置決め保持される。したがって、昇降棚５をケース４に収納したり、下方端位置まで引き出したり、途中の任意の位置に停止させたりすることができる。
昇降棚５をケース４内に収納するときは、可動ハンドル５３を手で握った状態で昇降棚５を上昇端位置まで移動させた後、可動ハンドル５３から手を離せば、ロック機構が動作しロール部５１をロックして非回転状態にする。その結果、昇降棚５の全体がケース４内に収納されて位置決め保持される。
【００２７】
上述の収納庫１によれば、システムキッチン２での調理などの作業時に、昇降棚５を下方に引き出した状態で被収納物６を容易に出し入れできるので使い勝手がよく、昇降棚５は作業の邪魔にはならない。
なお、上述のように、昇降棚部３を、収納庫１の端部（たとえば、左側端部または右側端部）以外の位置（たとえば、図１に示す三つの扉３１のうちのいずれかの扉３１とその収納部の位置）に配設する場合がある。
この場合、昇降棚部３の開口寸法（たとえば、４５０ｍｍ）はシンク２１の開口寸法（たとえば、９００ｍｍ）よりかなり小さいので、昇降棚部３の平面視での位置を、シンク２１の左右方向中央より一方にずらせて配置すれば、ユーザーがシンク２１の前に立って調理などの作業を行うときに、昇降棚５の下方を引き出した状態で被収納物６を容易に出し入れできるので使い勝手がよく、昇降棚５はそれほど作業の邪魔にはならない。
【００２８】
また、たとえば、シンク２１の上部に昇降棚部３を配置すると、濡れた被収納物を昇降棚５に収納した場合でも水滴がシンク２１に直接落ちるため、ワークトップ１８が濡れなくて清潔に使用できる。
同様に、図１に示す収納部本体３０において符号Ｃ１またはＣ２で示す収納部はシンク２１の上部に位置しているので、これら収納部Ｃ１またはＣ２の位置に、この収納部に代えて昇降棚部３を配置した場合も、同様の効果が得られる。
【００２９】
以上、本発明の実施形態を説明したが、本発明は、上述の実施形態に限定されるものではなく、本発明の要旨の範囲で種々の変形，付加などが可能である。
なお、各図中同一符号は同一または相当部分を示す。
【００３０】
【発明の効果】
本発明にかかる昇降棚付き収納庫は、上述のように構成したので、ユーザーが自分の使い勝手に合わせた良好な収納形態を任意に且つ容易に作り出すことができ、また、昇降棚の収納スペース部に対して被収納物を容易に出し入れすることができる。
【図面の簡単な説明】
【図１】図１ないし図７は本発明の実施形態の一例を示す図で、図１は、昇降棚付き収納庫とシステムキッチンの正面図である。
【図２】図１のＩＩ−ＩＩ線平面図である。
【図３】昇降棚部の概略正面図である。
【図４】昇降棚部を正面から見た内部構造図である。
【図５】昇降棚部を側面から見た内部構造図である。
【図６】被収納物を収納した状態の昇降棚の部分正面図である。
【図７】被収納物を収納した状態の昇降棚部の正面図である。
【符号の説明】
１      昇降棚付き収納庫
２      システムキッチン（キッチン）
３      昇降棚部
４      ケース
５      昇降棚
６      被収納物
６ａ    調味料（被収納物）
６ｂ    ふきん（被収納物）
６ｃ    まな板（被収納物）
６ｄ    キッチンペーパー（被収納物）
６ｅ    小物類（被収納物）
４０    仕切り板
４１    受けレール
４２    支持部材
４２ａ  調味料ラック（支持部材）
４２ｂ  ふきん掛けラック（支持部材）
４２ｃ  まな板ラック（支持部材）
４２ｄ  ペーパーホルダ（支持部材）
４２ｅ  小物類ラック（支持部材）
４３    側板
４４    収納スペース部
【図１】
2004298423.tif 000003
【図２】
2004298423.tif 000004
【図３】
2004298423.tif 000005
【図４】
2004298423.tif 000006
【図５】
2004298423.tif 000007
【図６】
2004298423.tif 000008
【図７】
2004298423.tif 000009